(57)【要約】【課題】外壁面に関してガスプラグコネクタの位置調整が可能であり且つ固定ガス導管据え付けに関してこのようにして位置セットオフの補正ができるガスプラグコネクタを製造することである。【解決手段】これを達成するために、ガスプラグコネクタは、ケーシング（１）、遮断装置（２）および固定エレメント（３）とからなる。遮断装置（２）の筒状ノズル（１２）は、気密状態でケーシング（１）の中へ突入し、該ケーシングはその内側に支持リング（１０）が嵌まる溝（８）を有する。前記の支持リング（１０）は、ノズル（１２）をケーシング（１）の中へ嵌め込ませることができるが、ノズル（１２）がケーシング（１）から抜け出ることを阻止する。固定エレメント（３）は、一方の側で壁（３１）に取り付けられ且つ他方の側で遮断装置（２）に取り付けられる。【選択図】図１
2005506503.tif 000002
【特許請求の範囲】
【請求項１】
壁（３１）面または該壁の中に据え付けた固定ガス導管にガスプラグコネクタを永久連結させる入口ソケット（４）を有するケーシングと、ガスコネクタプラグ（１９）を連結するための遮断装置であって、外部との気密が達成されると内部ガス通路を解放する遮断装置（２）と、一方の側で遮断装置（２）に取り付けられ且つ他方の側で壁（３１）に取り付けられる固定エレメント（３）とを備え、
遮断装置（２）は筒状のノズル（１２）を有し、該ノズルは、ケーシング（１）の方に向く側端部にカラー（１３）を有し且つ該カラーがケーシング（１）から遠い側面で接する係止溝（１５）を有しさらに気密通路においてケーシング（１）の中へ突入しており、前記ケーシングは溝（８）を有し、該溝内には、所定の角度で横方向へ向かい且つケーシング（１）の内側で溝（８）の回りに位置した凹み（９）を通って外方へ突出する端部（１１）を有するバネの支持リング（１０）が嵌まり、開口した状態において、前記リングの円形部は、ノズル（１２）がケーシング（１）の中に入りうるように完全に溝（８）内に嵌まり、係止溝（１５）内にある支持リング（１０）によってノズル（１２）はケーシング（１）から抜け出ることがなく、
この際に、遮断装置（２）は、固定エレメント（３）をその両側の一方で分離した後に、ケーシング（１）から見てノズル（１２）の縦軸線の回りで転向可能であるガスプラグコネクタ。
【請求項２】
ケーシング（１）の内側に位置させ且つ遮断装置（２）の方に向ける溝（８）の側面は、溝底から上方方向に見ると溝幅が拡がるように仕上げられている請求項１記載のガスプラグコネクタ。
【請求項３】
カラー（１３）から外方を向いている係止溝（１５）の側面は、溝底から上方方向に見ると溝幅が拡がるように仕上げられている請求項１または２記載のガスプラグコネクタ。
【請求項４】
ノズル（１２）の表面は、ケーシング（１）からノズルの縦方向に見ると、係止溝（１５）背後の領域に位置付けされた円錐状のテーパ部（１６）を有する請求項１から３のいずれかに記載のガスプラグコネクタ。
【発明の詳細な説明】
【０００１】
【発明の属する技術分野】
本発明は、コネクタを壁面または壁内の固定ガス導管に永久連結させる入口ソケットを有するケーシングと、ガスコネクタプラグ特にガスホースプラグを連結するための遮断装置とにおけるガスプラグコネクタに関する。前記の遮断装置は、外部との気密が達成されている時のみ、ガスコネクタプラグを接続した後に内部ガス通路を開口する。
【０００２】
【従来の技術】
ガスプラグコネクタは、建物内部に固設したガス導管と、キッチンレンジやドライヤのようなガス稼動機器との接続を容易にするのに役立っている。このようなコネクタを用いると、いずれのガス消費者でも簡単な手段でガス導管に接続させることができる。
【０００３】前記の種類のガスプラグコネクタは周知である。例えば、ドイツ国特許第１１３６２９４号は、いわゆるガスコネクタコックを記載しており、該ガスコネクタコックでは、可動プラグを収容するコックケーシングからなるタップコックでもって、適当なガスホースコネクタをコネクタ孔の中に挿入することによって連結を行っている。ガスホースコネクタを回すと、同時にガスコネクタコックがオンまたはオフ位置になる。このようなコックケーシングは、連結ネジによって固定ガス導管に連結される。
【０００４】また、実際において信頼できることが証明された他のタイプのガスプラグコネクタが、ドイツ国特許公開第３５１９９３３号に記載されている。ここでは、ガスプラグコネクタは、ガスコネクタプラグを取り込むためにケーシング内部で回すことによって調整できる筒状のガス前方本体と、該ガス前方本体に対して直角に配置した受け入れポートとを備える。遮断装置は、ガス前方本体の縦軸線の回りで回転できるボールと、該ボール内側の矩形ポートとからなる。ボールに結合されて同様に回転するガス前方本体の受け入れ端部は、ボールポートの出口端部の中へ突入している。ボール表面は、受け入れポートの縦方向に見て、ケーシング壁面で正反対に位置決めされた２本の弾力性の封止リングに当接する。これらの封止リングの一方は、チューブソケットに取り付けられ、該チューブソケットは、受け入れポートの中に挿入され且つ封止リングをボールに押し付けるのに役立つ。
【０００５】ドイツ国実用新案第９１１２２０８号に記載された解決策はガスプラグコネクタであり、該ガスプラグコネクタの設計は特にドイツ国特許公開第３５１９９３３号で既述されたものと同じであるが、とりわけ隠蔽据え付け用に設計されている。このために、ケーシングは、結合リングとねじ込み連結するためのネジ付き受け入れソケットを有し、そして平坦設置向きに設計されたボックス内に取り付け且つ該ボックスから取り除くことができる。ガスコネクタプラグを収容する開口は、ボックスの着脱可能なフロントカバーに設けている。また、ノズルはボックスの側壁のひとつに設置している。ボックスの外側へ突出するノズル端部は、ガス導管に連結することができ、そこでボックス内部のノズル端部は、受け入れソケットに連結できる結合リングを備えている。
【０００６】他のガスプラグコネクタが、ドイツ国特許第１００６１６５３号明細書に記載されている。このガスプラグコネクタは、コネクタを固定ガス導管に永久的に連結させる一体的な入口ソケットを有するベース本体と、ベース本体に締着した出口ソケットと、ガスコネクタプラグを取り込むために所定の距離をおいて出口ソケットのシェル部外周面を囲撓するベースプレートであって、残余部がベース本体の下方に締着される該ベースプレートとからなる。また、ベースプレートは、壁に向いたショルダ部として役立ち、該壁にショルダ部は適切に取り付けられる。ベースプレートには、ガスコネクタプラグを取り外す時に開いているコネクタを閉じるカバーを有するボンネットが適切に固着され、この際に前記カバーはラッチング装置を備えている。ラッチング装置は、ガスコネクタプラグを受け入れ開口の中へ挿入するための初めての試みで掛け外しに容易な状態に持ってこられ、この状態にカバーのラッチング装置を調整する。ガスコネクタプラグの少なくとも１回の付加的な作動が、出口ソケットのコネクタ開口を、連結すべきガスプラグコネクタにアクセス可能にするために必要である。
【０００７】これら全ての装置では、一般に、ガスホースプラグ接続用の穿孔の位置が、導管を据え付ける壁の外表面に関してガス導管の配向に依存するという欠点を持っている。審美的な仕方で据え付けたガスプラグコネクタを有するために、外壁表面および固定ガス導管のいずれも同じ位置でなければならず、これは高価なガス導管据え付けを意味する。
【０００８】特に表面据え付けにおける他の欠点は、完了した設備にはガスプラグコネクタの可視部分をも含むことである。その結果として、ガスプラグコネクタは、損傷する危険性、例えば、仕上げのために室内で必要な作業をしている際に擦過する危険性を冒すことになり、これはガスプラグコネクタの見栄えを損なうであろう。
【０００９】さらに、殆どのガスプラグコネクタは、修繕または機能回復作業の後に必要になっても、後でまた該ガスプラグコネクタの可視部分を交換または再調整できないという不都合を持っている。
【００１０】
【発明の実施の形態】
本発明は、壁の外表面に関してガスプラグコネクタの位置を調整でき、且つそれ故に固定ガス導管の位置ズレを補正できる前記の種類のガスプラグコネクタを開発する問題に基づいている。さらに、ガスプラグコネクタの外部可視部分の最終据え付けは、他の作業の完了後に、例えば部屋を装飾する時に行うことが可能である。また、ガスプラグコネクタの外部可視部分の交換は、大して苦労することなく行うことができる。
【００１１】本発明に従って、ケーシング、遮断装置および固定エレメントを有するガスプラグコネクタを提供することによって問題が解決されるものである。ケーシングは、壁の中または壁面に据え付けた固定ガス導管にガスプラグコネクタを永久連結させる入口ソケットを備える。遮断装置は、ガスコネクタプラグ、特にガスホースプラグに連結するのに役立ち、この連結によって前記遮断装置は、外部との気密が達成された時のみ内部ガス通路を開口する。筒状のノズルは、ケーシングの方に向く側面にカラーを有し、該カラーがケーシングから遠い側面に位置させた係止溝と接するものであって、気密通路において遮断装置の一部としてケーシングの中へ突入しており、前記ケーシングは、その内部において、溝を回りケーシングの開口を通って外部空間へ突出する片寄り端部を有するバネの支持リングを収容する溝を有する。開口した状態において、支持リングの円形部は、完全に溝の内側に入ってノズルをケーシングの中に嵌め込ませ、該ノズルが溝内に入る支持リングによってケーシングから抜け出ることはない。固定エレメントは、壁に取り付けられ且つその他端部で遮断装置に取り付けられることにより、該遮断装置は、その他端部を分離した後に、ケーシングから見てノズルの縦軸線の回りに転向させることができる。支持リングの片寄り端部の付加的な作動の後でのみ、溝の回りで該リングの円形部が開き、そして遮断装置を取り除くことができる。
【００１２】したがって、その解決策は、前述したような先行技術の欠点を排除する取組み法を構成している。ガスプラグコネクタの可視部分と組み合わせる遮断装置は、単に室内の他の作業を完了した後に設置することを必要とし且つ固定導管据え付けの位置ズレをこのように補正できるので、審美的外観をもたらすように取り付けることが可能である。これは、必要とされるいかなる付加的努力をすることなく、導管据え付け作業を取引に際して通例のように行いうることを意味する。また、ガスプラグコネクタの可視部分を交換することも可能である。
【００１３】本発明の別の有利な段取りは、本発明の他の請求項において見い出すことができる。特に、ケーシングの内側に位置させ且つ遮断装置の方に向ける溝の側面は、遮断装置の偶然の抜け出しがこのようなレイアウトによっていっそう良く阻止されるので、溝底から上方方向に見ると溝幅が拡がるように仕上げられている。
【００１４】他の有利な段取りにおいて、カラーから外方を向いている係止溝の側面は、溝底から上方方向に見ると溝幅が拡がるように仕上げられている。適所にこのように配置することによって、支持リングは、ノズルがケーシングに向かって縦方向に移動するときに係止溝から滑り出すことができ、これは、ガスプラグコネクタの位置をノズルの縦軸線の方向に調整できることを意味する。これは、特に隠蔽据え付けの場合に有利であり、しばしば審美的外観が要求されまたはいわゆるカーテンウォールと連結するために用いられ、他には、壁の外表面に関してガス導管の据え付け深さの調整について何らかの作業を要求されることはないだろうし、連結される既存のガスプラグコネクタがこのために適合しない。とりわけ、タイル張り作業による場合のように据え付けの時に正確な寸法が未だに役に立たないならば生じる問題は、この取り組みによって取り除かれるであろう。
【００１５】他の段取りは、ノズルの表面が、ケーシングからノズルの縦方向に見て、係止溝の背後の領域に位置決めされた円錐状のテーパ部分を有する。このような配置の利点は、いっそう良好な調整オプションを伴い、ノズルの縦軸線が付加的に揺動できることである。
【００１６】
【実施例】
本発明に係るガスプラグコネクタを、隠蔽据え付けに適した段取りを用いる実施例により、以下においてより詳細に説明する。
【００１７】この段取りの実施例において、ケーシング１は、該ケーシングの縦軸線と直角に設置した一体の入口ソケット４を有し、この実施例において、該ソケットは、ガスプラグコネクタと固定ガス導管（図示しない）とを永久連結させる雌ねじ部を備える。例えば、入口ソケット４は、ケーシングの表側に位置定めしたり、またはその連結を圧縮接続などによって行いうることが理解されるべきである。入口ソケット４によって形成されたガス出入口は、円筒空間５に通じ、該円筒空間内においてガス流れ監視装置６をガス出入口の背後に詰め寄せする。
【００１８】ケーシング１の表側開口７の近接個所において、円筒空間５は、凹み９で中断される溝８を有する。開口７の方へ向く溝８の側面は、該溝の底部から見て溝幅が増加するように設計されている。溝８の内部には環状バネの支持リング１０があり、該リングの内径は空間５へ部分的に突出するように選定されている。支持リング１０の端部１１は、放射方向の外方へ曲がり且つ凹み９から突出する。ケーシング１の外側では、前記リング端部が再び曲がり、好ましくはその個所からケーシングの縦軸線と平行になるように直角に曲がる。
【００１９】遮断装置２に属するノズル１２は、開口を通ってケーシング１の空間５の中へ突入し、このようなノズルは、ケーシング１の内側において円周溝を有するカラー１３を端部に持ち、該円周溝内には、必要な気密性を保証するＯリングシール１４を嵌める。
【００２０】ノズル１２およびその内部輪郭部が、遮断バルブ２２用の弁座２１を形成しており、該遮断バルブの閉鎖本体２３は、ノズル１２の軸線に沿って、且つ弁座２１の方向にガイド片２４上を自由に動くことができる。その運動の間に、閉鎖本体２３は、閉鎖スプリング２５で付勢された力によって閉鎖方向へ押し込まれ、該スプリングの一端部はガイド片２４に当接し且つ他端部は閉鎖本体２３に当接する。Ｏリングシール２６は、閉鎖本体２３上に置かれ且つオフ位置において弁座２１に当接するものであって、この装置を気密にするものである。閉鎖本体２３の軸方向延長部２７は、出口ソケット１８の中へ突入している。
【００２１】また、遮断装置２に属するベースプレート２８は、ガスコネクタプラグ１９によって必要とされる間隔をおいて、出口ソケット１８のシェル部外周面を囲撓する筒状ドーム２９を有する。ドーム２９の表側には、カラー形状であるショルダ部１７がノズル１２上に存在し、該ノズルは、前記ショルダ部とともに、ドーム２９の下方へ締め付ける支持プレート３０を介してドーム２９に対して押し付けられる。
【００２２】金属シート片の形状である固定エレメント３は、特にドイツ国内の建造物において多くの場合に用いられるように、概略で図示した壁３１とベースプレート２８との間に配置され、例えば、ネジおよびダボ（図示しない）を用いることにより、円形に配列された長孔３３によって一般に認められた方法で、ユニットを壁３１に固着することができる（図３参照）。
【００２３】係止エレメント３４を介して、ベースプレート２８は該プレートを覆うボンネット３５に連結される。図３で部分的に切り欠いて示したボンネット３５は、その正面に２個の穿孔３６を設けて止めネジ３２を取り込み、該止めネジは、固定エレメント３に設けたネジ孔３７および長孔３８によって該固定エレメントに下方で締着され、それによって出口ソケット１８のガス出口を長孔３８の一部の背後で位置定めしている。
【００２４】カバーとして役立つスライダ３９は、ボンネット３５とベースプレート２８との間に配置され、これらの間において該スライダはその縦軸線に沿って自由に動けるように案内される。スプリング４０は、一端部をボンネット３５に当接し且つ他端部をスライダ３９に当接するものであって、スライダ３９の運動方向に力を与えることによって、出口ソケット１８のガス出口をアクセス可能とする長孔３８の領域をスライダ３９が閉じることになり、ガスコネクタプラグ１９を適切に挿入移動させた後にのみ、出口ソケット１８のガス出口がアクセス可能になり、その後にガスプラグコネクタとガスコネクタプラグ１９とを接続することができる。
【００２５】ガスプラグコネクタが、この実施例において示すように動作する仕方を以下で説明する。
【００２６】図１は、取り付け前の位置におけるガスプラグコネクタを示している。ケーシング１は、壁３１の中または該壁の背後にあり、入口ソケット４を介して固定ガス導管と連結されており、該出口ソケットの位置は、図３から明らかなように、この実施例では一般に所望されるような直交の配置から意図的に逸脱させている。固定エレメント３に設けた長孔３８によって、これらの逸脱を修正すれば（また、図３からも明らかであるように）、遮断装置２を締着するためのネジ孔３７は所望の水平位置になる。ついで、固定エレメント３を、前記のネジ（図示しない）によって壁３１に適切に固着すればよい。
【００２７】図１において、遮断装置２のノズル１２は、支持リング１０が係止溝１５内に丁度嵌まるだけケーシング１の中へ挿入されている。その後に、図１とは対照的に図２で示すように、支持リング１０の端部（１１）が、その全円形領域をケーシング１内側の溝８内へ入れるほど大きく工具によって単に拡げられるならば、遮断装置２をケーシング１から取り除くことができる。
【００２８】図４から明らかになるように、次にガスプラグコネクタが完全に装着される。ノズル１２は、ベースプレート２８が固定エレメント３に当接するまで、さらに縦方向にケーシング１の中へ押し込まれ、この際に、初めに支持リング１０が、斜め配置の溝側面によって係止溝１５からスリップすることが可能となった。遮断装置２は、止めネジ３２によって固定エレメント３に永久的に連結することができる。
【００２９】挿入方向に移動すると、ケーシングから見てノズル１２の縦軸線における位置セットオフは、ノズル１２を少し傾けることによって図５に示すように修正することができ、同時に、ガスプラグコネクタの外側の可視部分は審美的な外観のために壁３１上に載置されている。
【００３０】また、図４はオン位置におけるガスプラグコネクタを示し、すわなち、出口ソケット１８のシェル部外周面とドーム２９のシェル部内周面とで形成される取り込み開口内におけるガスコネクタプラグ１９の連結ピースを示している。必要な気密性は、出口ソケット１８のシェル部外周面に載置したＯリングシール２０によって保証される。外部との気密性が達成された後にのみ、ガスコネクタプラグ１９にあるタペット４１が延長部２７に向かって押し込み、そしてガスコネクタプラグ１９がさらに前進すると遮断バルブ２２を開く。ついで、固定ガス導管への連結が行われる。ケーシング１内部で位置定めしたガス流れ監視装置６は、例えば、破裂したガスホースによって起こるような許容できない通過流量の増加の場合に、前記ガス流れ監視装置を閉じることによってガス導管を遮断することを確実に行う。
【００３１】後日に行われる修理作業のためにベースプレート２８で覆われた壁３１の領域の背後に到達するには、まず止めネジ３２を緩め、そして壁３１から遮断装置２を引き出すだけである。これは、支持リング１０が係止溝１５内に適切にロックされるまで行うことができる。
【００３２】遮断装置２を所望に応じて交換する場合には、遮断装置２をノズル１２とともにケーシング１から完全に引き出すために、前述したように支持リング１０を拡げなければならない。その時に入口ソケット４に連結した固定ガス導管が閉鎖されていないならば、このような場合にはガス流れ監視装置６が応答してラインを閉じることは言うまでもないことである。
【００３３】本発明に係るガスプラグコネクタが、前記で提示した実施例に限定されるものでないことは言うまでもないことである。本発明の範囲を逸脱することなく、変更、代替および結合することが可能である。
【００３４】例えば、入口ソケット４は、ケーシング１とノズル１２との接続で示したものと同様に、ケーシング１の内側で自由に移動するように設置されてもよく、この際に、ケーシング１も、勿論、この方向において溝８内に嵌まる支持リング１０を有する領域を持ち、この方向にシフトできる入口ソケット４の一部を受け入れる。
【００３５】いっそう大きい傾斜領域を獲得するために、ノズル１２の縦軸線に関して、該ノズルは、ドーム２９の中に突入する付加的な円錐セクション１６を備えていてもよい。
【図面の簡単な説明】
【図１】オフ位置におけるガスプラグコネクタを示す断面図である。
【図２】図１に示したガスプラグコネクタをＸ−Ｘに沿って示す断面図である。
【図３】図１に示したガスプラグコネクタをＡ方向から一部切り欠いて示す平面図である。
【図４】オン位置におけるガスプラグコネクタをガスコネクタプラグとともに示す断面図である。
【図５】図４に示したガスプラグコネクタの部分平面図である。
【符号の説明】
１  ケーシング
２  遮断装置
３  固定エレメント
４  入口ソケット
５  空間
６  ガス流れ監視装置
７  開口
８  溝
９  凹み
１０  支持リング
１１  端部
１２  ノズル
１３  カラー
１４  Ｏリングシール
１５  係止溝
１６  セクション
１７  ショルダ部
１８  出口ソケット
１９  ガスコネクタプラグ
２０  Ｏリングシール
２１  弁座
２２  遮断装置
２３  閉鎖本体
２４  ガイド片
２５  閉鎖スプリング
２６  Ｏリングシール
２７  延長部
２８  ベースプレート
２９  ドーム
３０  支持プレート
３１  壁
３２  止めネジ
３３  長孔
３４  係止エレメント
３５  ボンネット
３６  穿孔
３７  ネジ孔
３８  長孔
３９  スライダ
４０  スプリング
４１  タペット
【図１】
2005506503.tif 000003
【図２】
2005506503.tif 000004
【図３】
2005506503.tif 000005
【図４】
2005506503.tif 000006
【図５】
2005506503.tif 000007
【国際公開パンフレット】
2005506503.tif 000008
2005506503.tif 000009
2005506503.tif 000010
2005506503.tif 000011
2005506503.tif 000012
2005506503.tif 000013
2005506503.tif 000014
2005506503.tif 000015
2005506503.tif 000016
2005506503.tif 000017
2005506503.tif 000018
2005506503.tif 000019
2005506503.tif 000020
2005506503.tif 000021
2005506503.tif 000022
2005506503.tif 000023
2005506503.tif 000024
2005506503.tif 000025
2005506503.tif 000026
2005506503.tif 000027
2005506503.tif 000028
【国際調査報告】
2005506503.tif 000029
2005506503.tif 000030
2005506503.tif 000031
2005506503.tif 000032